(57)【要約】【課題】ティーアップした場所から近くにしか飛ばないようにして、容易に回収できまた紛失を防止できるゴルフティーとする。【解決手段】ティー本体１に非伸縮性の非伸縮ひも体２を連結する。この非伸縮ひも体２に伸縮可能な弾性ひも体３を連結し、さらに錘４を連結する。これにより、ティーアップされたティー本体１が強打されても、錘４が弾性ひも体３に連結されているので、錘４に加わる衝撃力が緩和されて、ティーアップした場所から近くにしか飛ばない。持ち運びする際には、ティー本体１の脚部１ａの外周に巻き付け、最後に錘４の差込孔４ａに脚部１ａの先端を差し込むことによって収納状態とできる。【選択図】  図１
2004201767.tif 000002
【特許請求の範囲】
【請求項１】
ティー本体と、該ティー本体に連結された伸縮可能な弾性ひも体と、該弾性ひも体に連結された錘とからなるゴルフティー。
【請求項２】
ティー本体は、非伸縮性の非伸縮ひも体を介して弾性ひも体と連結されていることを特徴とする請求項１記載のゴルフティー。
【請求項３】
ティー本体に連結される弾性ひも体又は非伸縮ひも体は、該ティー本体の脚部に取付けられていることを特徴とする請求項１，２記載のゴルフティー。
【請求項４】
弾性ひも体は、該弾性ひも体とその弾性力を相違する第２弾性ひも体を介してティー本体に連結されていることを特徴とする請求項１〜３記載のゴルフティー。
【請求項５】
錘に、ティー本体の先端を差し込み可能な孔を設けていることを特徴とする請求項１〜４記載のゴルフティー。
【請求項６】
ティー本体に連結可能とされた伸縮可能な弾性ひも体の他端に、錘が取付けられていることを特徴とするゴルフティー用ひも。
【発明の詳細な説明】
【０００１】
【発明の属する技術分野】
この発明は、ゴルフ競技において、ティーショットに用いるゴルフティーに関する。
【０００２】
【従来の技術】
ゴルフ競技において、ティーショットする際には、ゴルフティーをティーグラウンドに突き刺し、このゴルフティーの上にゴルフボールを載置して、プレーしている。このゴルフティーには、木製のものや、プラスチック製のものなどが一般に使用されている。
【０００３】
このように、ゴルフティーの上にゴルフボールを載置した状態で、ゴルフクラブにより、ゴルフ球を強打するが、この際、ゴルフボールのみならず、ゴルフティーも同時に強打されることがあり、ゴルフティーも一緒に飛んでいってしまうことがあった。このため、回収するのに時間を要したり、紛失してしまうことがある。
【０００４】
実開平５−７６４７１号公報では、熱硬化性樹脂などの硬化剤を混合した中子砂により一体成形した使い捨てとしたゴルフティーが開示されている。
【０００５】
また、特表２００２−５３６０８７号公報には、ゴルフティーの上面に軟らかく弾性を有する剛毛を環状に植生して、ゴルフティーが飛んでいってしまうことを防止したゴルフティーが開示されている。また、特開２００２−６５９１７号公報には、ゴルフティーの中間にゴム条を介在させて、ゴルフティーの頭部に加わる打撃による衝撃を吸収し、ゴルフティーが飛んでいってしまうことを防止したゴルフティーが開示されている。
【０００６】
【従来技術】特開２００２−６５９１７号公報
【０００７】
【発明が解決しようとする課題】
しかしながら、実開平５−７６４７１号公報に開示されたゴルフティーでは、競技者のポケット内に収納して持ち運びされると、ポケットを汚してしまうおそれがある。また、特表２００２−５３６０８７号公報や特開２００２−６５９１７号公報に開示された発明では、ゴルフティーの構造が複雑になり、高価になってしまう。
【０００８】
そこで、この発明では、ゴルフティーがティーアップした場所から近くにしか飛ばないようにして、容易に回収できまた紛失を防止できるゴルフティーとすることを目的としている。
【０００９】
【課題を解決するための手段】
請求項１の発明では、ティー本体と、このティー本体に連結された伸縮可能な弾性ひも体と、この弾性ひも体に連結された錘とからなる。これにより、ティーアップされたティー本体が強打されても、錘が弾性ひも体に連結されているので、錘に加わる衝撃力が緩和されて、ティーアップした場所から近くにしか飛ばない。
【００１０】
請求項２の発明では、ティー本体は、非伸縮性の非伸縮性ひも体を介して弾性ひも体と連結されている。これにより、直接弾性ひも体をティー本体に連結した場合と比較して、衝撃力が加わるティー本体近傍の強度を非伸縮性ひも体により維持できて、短い弾性ひも体とすることができる。
【００１１】
なお、本発明において「非伸縮性」とは、ゴム糸などの大きな伸縮性を有するひも体との比較において、伸縮性の少ない性質の意味で使用しており、全く伸縮性の無いことを条件にしているのではない。
【００１２】
また、ティー本体に連結される弾性ひも体又は非伸縮ひも体は、ティー本体の脚部に取付けることによって、ティーアップ動作を妨げることがない（請求項３）。
【００１３】
請求項４の発明では、伸縮可能な弾性ひも体は、弾性ひも体とその弾性力を相違する第２弾性ひも体を介してティー本体に連結されている。弾性力を相違する第２弾性ひも体を連結することにより、弾性ひも体の長さを調整することができる。
【００１４】
請求項５の発明では、錘に、ティー本体の先端を差し込み可能な差込孔を設けている。これにより、ティー本体の脚部にひも体を巻き付けた上で、ティー本体の先端を錘の差込孔内に差し込むことによって、コンパクトに収容でき、競技者のポケット内に容易に収納して持ち運びが可能になる。
【００１５】
【発明の効果】
請求項１の発明は、ティー本体と、ティー本体に連結された伸縮可能な弾性ひも体と、弾性ひも体に連結された錘とすることにより、ゴルフティーがティーアップされた場所の近くにしか飛ばないために、容易に回収でき、また紛失を防止できる。
【００１６】
請求項２の発明は、ティー本体は、非伸縮性の非伸縮ひも体を介して弾性ひも体と連結されていることにより、弾性ひも体の切れを防ぐことができて、耐久性のあるゴルフティーとすることができる。
【００１７】
請求項４の発明は、弾性ひも体は、該弾性ひも体とその弾性力を相違する第２弾性ひも体を介してティー本体に連結されていることにより、適宜弾性ひも体の長さを調整することができる。
【００１８】
請求項５の発明は、錘に、ティー本体の先端を差し込み可能な孔を設けていることによって、コンパクトに収容でき、持ち運び容易なゴルフティーとすることができる。
【００１９】
【発明の実施の形態】
以下、この発明の１実施例について、図面を参照して詳細に説明する。
【００２０】
図１において、１はティー本体であって、先端がやや尖った脚部１ａと、この脚部１ａの上部にゴルフボールを載置する頭部１ｂが設けられている。この脚部１ａの中間には、ひも取付孔１ｃが形成されている。
【００２１】
ひも取付孔１ｃには、非伸縮性の非伸縮性ひも体２が通して連結されている。
このひも体２は、凧糸などの強度と柔軟性のあるものが望ましく、この実施例では、図１に示すようにリング状に連結されて約１５〜３０ｃｍの長さに調整されている。非伸縮性ひも体２の他端には弾性ひも体３が連結されている。この弾性ひも体３は、ゴム糸が用いられており、３〜６ｃｍの長さとしている。そして、弾性ひも体３は、錘４に連結されている。この実施例では、錘４は図２に示すように、直径約２ｃｍ、厚さ３ｍｍの真ちゅう製であって、中央に直径５ｍｍの差込孔４ａによりリング形状とされ、その重量は約５〜１０グラム程度とされている。
【００２２】
この実施例のティー本体１をティーアップするに際しては、従来から知られているゴルフティーと同様にティーグラウンドに突き刺し、錘４を非弾性ひも体２及び弾性ひも体３が弛んだ状態にティーグラウンド上に置くだけでよい。そしてティー本体１の頭部１ｂ上にゴルフボールを載置して、プレーできる。
【００２３】
この実施例に示すゴルフティーを、実際にティーアップして試験を行ったところ、ティーアップした場所から約５０ｃｍの範囲内しか飛ばなかった。これにより、スイング後にゴルフティー１を容易に回収できた。
【００２４】
また、持ち運びする際には、図３に示すように、ティー本体１の脚部１ａの外周に非伸縮性ひも体２および弾性ひも体３を巻き付け、最後に弾性ひも体３の弾性を利用して、錘４の差込孔４ａに脚部１ａの先端を差し込むことによって収納状態とすることができる。これにより、競技者のズボンのポケットなどにコンパクトに収容できる。
【００２５】
図４は、錘の他の実施例を示し、図４（Ａ）に示す錘５は、弾性ひも体３を取付けるリング状の取付部５ａをボディの側面に設けるとともに、差込孔５ｂを設けている。また、図４（Ｂ）に示す錘６は、弾性ひも体３を取付けるリング状の取付部６ａをボディの頂面に設けている。この例に示すように、錘は種々の形状とすることができ、この錘に飾り模様を入れたり、競技者の名前を付したりすることができる。
【００２６】
また、非伸縮性ひも体２をティー本体１のひも取付孔１ｃに通して連結した例を示しているが、非伸縮ひも体２に図示しないクリップを取付て、ティー本体１への取付・取外しを容易にすることができる。
【００２７】
なお、ティー本体１に直接弾性ひも体３を連結して実施することもできる。このように実施した場合には、上述した非弾性ひも体２を用いた場合に比して切れやすくなるため、長い弾性ひもを用いるのが望ましい。また、弾性力を相違する二種類の弾性ひも体を介してティー本体に連結して、切れやすい部位には引張り強度の大きな弾性ひも体を選ぶこともできる。
【図面の簡単な説明】
【図１】ゴルフティーの全体図
【図２】錘の斜視図
【図３】収納状態を示す概略図
【図４】図４（Ａ）、（Ｂ）は、錘の他の実施例を示す斜視図
【符号の説明】
１…ティー本体
２…非伸縮性ひも体
３…弾性ひも体
４…錘
４ａ…差込孔
【図１】
2004201767.tif 000003
【図２】
2004201767.tif 000004
【図３】
2004201767.tif 000005
【図４】
2004201767.tif 000006